(57)【要約】【課題】  ケーキなどの見た目に美麗な食品を模した玩具を容易に作成して装飾性の高い食品形状を模した装飾体玩具を容易に成形して遊ぶことのできる玩具セットを提供する【解決手段】  ホイップクリーム状の特殊合成樹脂であるクリーム樹脂を充填した樹脂チューブと、該樹脂チューブの先端に着脱可能に固定する透孔キャップと、複数の形状の異なる補強シート43を切り抜き可能とした成形シート41と、前記補強シート43の形状に合わせた形状及び大きさとされた接着シール47と、補強シート43の形状に合わせた成形対象の絵柄が描かれたお手本シートと、成形シートを載置する台座10とを備えた装飾体玩具成形セットとする。【選択図】    図３
2010000152.tif 000002
【特許請求の範囲】
【請求項１】
ホイップクリーム状の特殊合成樹脂であるクリーム樹脂をチューブ容器に充填した樹脂チューブと、透孔を先端に備えて前記樹脂チューブの先端に着脱可能に固定される透孔キャップと、複数の形状の異なる補強シートを切り抜き可能とした成形シートと、前記補強シートの形状に合わせた形状及び大きさとされた接着シールと、前記補強シートの形状に合わせた成形対象である装飾体の絵柄が描かれたお手本シートと、前記成形シートから切り抜いた補強シートを載置することのできる台座とを備えることを特徴とする装飾体玩具成形セット。
【請求項２】
前記補強シートは透明又は有色の合成樹脂製の薄板であることを特徴とする請求項１に記載した装飾体玩具成形セット。
【請求項３】
前記接着シールは、前記補強シートよりも僅かに小さな相似形状又は補強シートの外周輪郭形状に合わせてこの外形よりも僅かに小さい外形の帯状形状であることを特徴とする請求項１又は請求項２に記載した装飾体玩具成形セット。
【請求項４】
前記透孔キャップは、透孔の形状が異なる複数の透孔キャップであることを特徴とする請求項１乃至請求項３の何れかに記載した装飾体玩具成形セット。
【請求項５】
前記台座は、中空の厚肉方形形状であって、上面に中央凹部を備え、中央凹部の形状に一致するカバーシートを有することを特徴とする請求項１乃至請求項４の何れかに記載した装飾体玩具成形セット。
【請求項６】
前記台座は、上ケースと下ケースとに分離可能であって、下ケースの底板上に区画壁を有して内部空間を複数に区画していることを特徴とする請求項５に記載した装飾体玩具成形セット。
【請求項７】
樹脂チューブと、透孔キャップと、成形シートと、接着シールと、お手本シートと、カバーシートを有する台座と合せ、前記カバーシートと同一形状及び大きさであって、星型、渦巻き、又は円形などの基本形状の絵柄が描かれた基本練習シートを更に備えることを特徴とする請求項５又は請求項６に記載した装飾体玩具成形セット。
【請求項８】
樹脂チューブと、透孔キャップと、成形シートと、接着シールと、お手本シートと、台座と合せ、更に立体形状の補助装飾体を備えることを特徴とする請求項１乃至請求項７の何れかに記載した装飾体玩具成形セット。
【請求項９】
前記台座は、中央凹部に円形の回転溝を有し、この回転溝に下端が嵌入されるテーブル受け皿及びこのテーブル受け皿に載置固定される回転テーブルを有することを特徴とする請求項５乃至請求項８の何れかに記載した装飾体玩具成形セット。
【発明の詳細な説明】
【技術分野】
【０００１】
本発明は、ケーキなどの食品模型のアクセサリーを成形して遊ぶ玩具に関するものである。
【背景技術】
【０００２】
今日、食品の形状を模した種々の玩具が利用されており、食品と調理用具などを組合せ、調理や食事の真似をして遊ぶ玩具が種々提供されている（例えば特許文献１）。
また、粘土と合成樹脂の押し型などを用いて寿司やサンドイッチなどの食品を模した擬似食品を成形して遊ぶ玩具も種々提供されている。
【特許文献１】特開２０００−１１６９６９
【発明の開示】
【発明が解決しようとする課題】
【０００３】
前述の食品の形状を模した玩具又は食品の形状を模した擬似食品を形成する玩具では、調理の真似事や食事の真似事をして遊ぶことが多く、装飾性の高い見た目に美しい擬似食品を作成する楽しみは殆ど無かった。
本発明に係る玩具は、ケーキなどの見た目に美麗な食品を模した玩具を作成すると共に、装飾性の高い擬似食品などを容易に作成してアクセサリーとすることもできる装飾玩具を容易に成形して遊ぶことのできる玩具セットを提供するものである。
【課題を解決するための手段】
【０００４】
本発明は、ホイップクリーム状の特殊合成樹脂であるクリーム樹脂をチューブ容器に充填した樹脂チューブと、透孔を先端に備えて前記樹脂チューブの先端に着脱可能に固定される透孔キャップと、複数の形状の異なる補強シートを切り抜き可能とした成形シートと、前記補強シートの形状に合わせた形状及び大きさとされた接着シールと、補強シートの形状に合わせた成形対象である装飾体の絵柄が描かれたお手本シートと、前記成形シートから切り抜かれた補強シートを載置することのできる台座とを備えた装飾体玩具成形セットとするものである。
【０００５】
又、前記補強シートは透明又は有色の合成樹脂製の薄板とするものである。
そして、前記接着シールは、前記補強シートよりも僅かに小さな相似形状又は補強シートの外周輪郭形状に合わせてこの外形よりも僅かに小さい外形の帯状形状とするものである。
更に、前記透孔キャップは、透孔の形状が異なる複数の透孔キャップとされるものである。
【０００６】
又、前記台座は、中空の厚肉方形形状であって、上面に中央凹部を備え、中央凹部の形状に一致するカバーシートを有するものである。
更に前記台座は、上ケースと下ケースとに分離可能であって、下ケースの底板上に区画壁を有して内部空間を複数の区画に区分することが好ましい。
【０００７】
そして、装飾体玩具成形セットとして、カバーシートと同一形状及び大きさであって、星型、渦巻き、又は円形などの基本形状の絵柄が描かれた基本練習シートを更に備えることがある。
また、立体形状の補助装飾体を更に備えることもある。
【０００８】
更に、台座の中央凹部に円形の回転溝を有し、この回転溝に下端が嵌入されるテーブル受け皿及びこのテーブル受け皿に載置固定される回転テーブルを有することもある。
【発明の効果】
【０００９】
本願発明は、ホイップクリーム状の特殊合成樹脂であるクリーム樹脂を充填した樹脂チューブと、透孔キャップと、補強シート及び補強シートの形状に合わせた接着シールと、成形対象である装飾体の絵柄を描いたお手本シート及び台座を備える故、台座に補強シートを載置してお手本シートに描かれた絵柄を真似るように透孔キャップを介して樹脂チューブ内のクリーム樹脂を絞り出せば、補強シートの上に容易にデコレーション形状の装飾体玩具を形成をして遊ぶことができ、補強シートに接着シールを貼着しておくことにより、クリーム樹脂を確実に補強シートに接着させることが可能となり、クリーム樹脂により成形した装飾体玩具をアクセサリーとして使用することもできる。
【００１０】
また、補強シートを透明又は有色の合成樹脂製の薄板とすれば、透明な補強シートでは、クリーム樹脂による装飾体のみが見易く、補強シートを目立たせないようにすることができ、有色の補強シートでは、クリーム樹脂を目立たせるようにすることができ、補強シートにより乾燥固化したクリーム樹脂を補強することができる。
【００１１】
そして、接着シールを補強シートよりも僅かに小さな相似形状又は補強シートの外周輪郭形状に合わせて僅かに小さい外形の帯状形状とすることにより、クリーム樹脂を絞り出す対象部分のみに接着シールを設けるように補強シートに接着シールを貼着して補強シートからクリーム樹脂が食み出さないように装飾玩具を形成することができる。
【００１２】
更に、透孔キャップとして透孔の形状が異なる複数の透孔キャップとすれば、透孔キャップを交換することにより、クリーム樹脂の絞り出し形状を変化させてより複雑で見た目に美しい形状を容易に成形することができる。
【００１３】
又、台座を上面に中央凹部を備えた中空の厚肉方形形状として、中央凹部の形状に一致するカバーシートを有する台座とすることにより、軽量で使用が簡便な台座とするこができ、台座の中央凹部にカバーシートを載置固定し、このカバーシート上にクリーム樹脂を絞り出して絞り出しの練習を行い、クリーム樹脂が乾燥するとクリーム樹脂を除去して何回でも絞り出しの練習を容易に行うことができる。
【００１４】
更に台座を上ケースと下ケースとに分離可能として下ケースの内部空間を複数の区画に区分すれば、この台座に透孔キャップや補助装飾体等の付属品などを収納して付属品を整理し、アクセサリーとすることのできる装飾体玩具を成形して遊ぶときに付属品の使用を容易とすることができる。
【００１５】
また、星型、渦巻き、又は円形などの基本形状の絵柄が描かれた基本練習シートを更に備えれば、装飾体玩具を形成するに際し、基本形状を反復練習して一定の形状を安定して絞り出すように習熟することができ、上達の楽しさと、より美しい装飾体玩具の成形を繰り返し安定して行うことができるようになる。
【００１６】
そして、立体形状の補助装飾体を更に備える場合は、装飾体玩具としてより複雑にして美麗な装飾体玩具を成形することができる。
更に、台座に回転テーブルを設ける場合は、回転テーブル上に補強シートや補助装飾体を載置することができ、この回転テーブル上に補強シートや補助装飾体を載置することにより、クリーム樹脂を絞り出す際、回転テーブルを回転させて絞り出し位置を一定の箇所として安定した絞り出しを容易に行うことができる。
【発明を実施するための最良の形態】
【００１７】
本発明に係る装飾体玩具成形セットの最良の形態は、ホイップクリーム状の特殊合成樹脂であるクリーム樹脂をチューブ容器に充填した樹脂チューブと、該樹脂チューブの先端に着脱可能に固定されて星型の透孔を先端頂部に有する透孔キャップや多角形の透孔を有する透孔キャップなどの複数の透孔キャップと、複数の形状の異なる補強シートを切り抜き可能とした成形シートと、前記補強シートの形状に合わせた形状及び大きさとされた接着シールと、補強シートの形状に合わせた成形対象としての装飾体の絵柄が描かれたお手本シートと、独立した単一の星型の絵柄や星型を連続させた絵柄、大きさの異なる複数の独立した星型の絵柄などの基本形状の絵柄が描かれた基本練習シートと、前記補強シートを載置することのできる台座とを備えた装飾体玩具成形セットとするものである。
【００１８】
又、前記補強シートは有色又は無色の透明な合成樹脂製の薄板とし、前記接着シールは、前記補強シートよりも僅かに小さな相似形状か、補強シートの外周輪郭形状に合わせて僅かに小さい外形の帯状形状とするものである。
そして、前記台座は、中空の厚肉長方形形状であって、上面に中央凹部を備え、中央凹部の形状に一致するカバーシートを有し、且つ、上ケースと下ケースとに分離可能であって、下ケースの底板上に区画壁を有して内部空間を複数の区画に区分されるものである。
【実施例１】
【００１９】
本発明に係る装飾体玩具成形セットは、ホイップクリーム状の樹脂により星型や花弁の形状、更にはショートケーキ形状の玩具として見る者に美感を与えることのできる食品形状の装飾体玩具を成形して遊ぶものである。
【００２０】
この装飾体玩具成形セットは、図１に示すように、フイルムシートを筒状としたチューブ容器61にホイップクリーム状のクリーム樹脂69を封入した樹脂チューブ60と、図２に示すような透明な樹脂板であるカバーシート49やホイップクリームのデコレーションに適した形状の種々の絵柄を描いた基本練習シート51、及び、装飾性を有する見た目に美しい装飾体玩具の種々の形状の絵柄を描いたお手本シート53や、図３に示すような種々の形状を切り抜き可能とする透明又は有色の成形シート41及びシールシート45と台座10などを組み合わせたものである。
【００２１】
このクリーム樹脂69は、ホイップクリーム状の特殊合成樹脂であって、変形が容易であって保形性を有する合成樹脂であり、乾燥させることにより変形しないように固化させることができるものである。
【００２２】
そして、樹脂チューブ60は、変形容易な樹脂フィルムを円錐形状として先端に樹脂製の口金部63を有し、円錐状のチューブ容器61内にホイップクリーム状態に調整した特殊合成樹脂であるクリーム樹脂69を充填して底部を密封しているものであり、口金部63には仮キャップ65が螺子止めされると共に、この仮キャップ65と交換可能な基準透孔キャップ71や異形透孔キャップ73などの透孔キャップを備えるものである。
【００２３】
この基準透孔キャップ71は、図１中に１−ａとして示したように先端頂部に星型の透孔が形成されたキャップであって、該キャップの透孔を塞いでおく螺子蓋75を備えるものであり、異形透孔キャップ73は、例えば図１中に１−ｂとして示したようにキャップの先端頂部の透孔として鋭角な頂部を周囲八方に突出させた８角形の透孔が形成されたキャップや、頂部を鈍角とする正多角形の透孔が形成されるキャップ、小さな透孔を複数備えたキャップなどとすることもある。
【００２４】
又、図２に示した基本練習シート51は、独立した単一の星型の絵柄や星型を連続させた絵柄、大きさの異なる複数の独立した星型の絵柄などが描かれたシートや大きさの異なる渦巻状の絵柄が描かれたシート、更には図示しないが貝殻形状や表面に複数の溝を有する円柱棒状の形状、更に表面に溝を有する円柱による渦巻き形状や環状形状などの絵柄が描かれたシートとされることもあり、お手本シート53は、八の字型や花弁形状、ハート型など、種々のデコレーション模様の絵柄が描かれるものである。
【００２５】
そして、カバーシート49は、透明な樹脂性の板状体であって、図３に示す台座10の上面に形成した中央凹部25の大きさに合せた矩形に形成されているものである。
また、台座10は、幅約２５センチメートル、前後約１５センチメートル、厚さは約４センチメートル程度の長方形をした中空の厚肉形状とされるものである。
【００２６】
更に、台座10は、上ケース21と下ケース11とに分割可能とされて内部に備品を収納可能としているものであり、上面の略全面部分を平板状に窪んだ中央凹部25とすると共に、矩形の中央凹部25の上面よりも僅かに上方の位置には、３方の周囲から中央凹部25の上に突出する係止突出部27を形成しているものである。
【００２７】
そして、係止突出部27を形成しない中央凹部25の一辺には、傾斜面部31を形成して傾斜面部31と中央凹部25との接続部分では傾斜面部31の内縁が中央凹部25よりも僅かに高くなる段差を形成し、傾斜面部31の略中央位置には傾斜面部31の外側から中央凹部25に亘る窪み形状の指掛け凹部33を形成しているものである。
【００２８】
従って、図４に示すように、基本練習シート51の上にカバーシート49を重ねて基本練習シート51とカバーシート49とを傾斜面部31に沿わせて傾斜面部31から中央凹部25に挿入載置し、カバーシート49を係止突出部27の下方に位置させることにより、基本練習シート51とカバーシート49とを台座10の中央凹部25に容易に固定することができる。
【００２９】
そして、クリーム樹脂69が封入されている樹脂チューブ60の仮キャップ65を外し、仮キャップ65に変えて基準透孔キャップ71又は異形透孔キャップ73を樹脂チューブ60の口金部63に螺入し、チューブ容器61を絞ってクリーム樹脂69をチューブ容器61から絞り出して基本練習シート51に描かれた星型などを真似るようにカバーシート49の上にクリーム樹脂69を絞り出せば、カバーシート49の上にホイップクリームによる立体的な星型形状などの基本形状を容易に形成することができ、基本練習シート51に描かれた絵柄と見比べながら反復して形成することにより、容易に美麗な形状を形成する練習を行うことができる。
【００３０】
そして、基本形状の練習によりカバーシート49の上に絞り出して形成したクリーム樹脂69は、カバーシート49を台座10から外して１昼夜などの所定時間放置することによりクリーム樹脂69を乾燥させて固化させた後、固化したクリーム樹脂69を除去してカバーシート49を洗浄することにより基本形状成形の反復練習を容易に行うことができる。
【００３１】
なお、基本練習シート51とカバーシート49を中央凹部25から外すときは、指掛け凹部33から基本練習シート51及びカバーシート49の下に指先を入れて基本練習シート51とカバーシート49の上面と下面とを指先で摘むようにして基本練習シート51及びカバーシート49の端部を持ち上げることにより、基本練習シート51やカバーシート49の端部が傾斜面部31と中央凹部25との段差を越えるように段差から離すことができ、容易に抜き取ることができるものである。
【００３２】
また、成形シート41としては、図３に示したように、切り抜き線により種々の形状の補強シート43を切り離し容易に形成しておくものであり、円形、楕円形、ハート型、円形の複数を環状形状に連続させた形状や円形の複数個が相互に接するように密集させた形状、更にくびれた部分を中心として左右対称の瓢箪形状としたものなど、種々の形状の補強シート43を形成しておくものであり、この補強シート43は、無色透明な合成樹脂製の薄板とするものや、着色された有色の合成樹脂製の薄板とするものである。
【００３３】
そして、シールシート45には、円形、楕円形、円形や楕円形の輪郭を模した環状形状、ハートの輪郭を模した形状、涙滴形状の輪郭を模した形状など、種々の形状の接着シール47を複数形成するものであり、この接着シール47の裏表面には粘着剤層が形成され、表表面にはのりが塗布されてクリーム樹脂69との接着性を高めているものである。
なお、シールシート45の表表面を上質紙としてクリーム樹脂69との接着性を高めることもある。
【００３４】
また、この接着シール47は、成形シート41に形成した補強シート43の形状に合わせ、補強シート43の形状よりも僅かに小さな相似形とするもの、補強シート43の外周輪郭形状に合わせてその外形よりも僅かに小さな外形の帯状として円形環状や所定の幅のハート型輪郭形状、所定幅の星型輪郭形状などとするもの、更には、補強シート43の外周輪郭形状の一部と略合致した形状及び大きさの帯状とするものなどとしている。
【００３５】
従って、小さな円形の補強シート43の上面に、この補強シート43の直径よりも僅かに小さな直径の接着シール47を粘着剤層によって貼着し、又、大きな円形の補強シート43にこの補強シート43の直径よりも僅かに小さな直径の環状形状とされた帯状の接着シール47を貼着するなど、補強シート43の形状や輪郭に合わせた接着シール47を補強シート43に貼着し、両面接着テープ48又はセロハンテープの接着面を外側として筒状に丸めたテープを用いて補強シート43を中央凹部25に固定したカバーシート49の上面に貼着固定し、接着シール47の上にクリーム樹脂69を絞り出すことによって、図６に示すように補強シート43の上面全体に星型を形成するように、又は、補強シート43の形状に合わせて補強シート43の周縁に沿って星型を連続させた形状や帯状としてクリーム樹脂69を乗せることにより、楕円や花弁の輪郭を模した形状などの立体形状としたアクセサリーとすることのできる擬似食品形状の装飾体玩具90を形成することができる。
【００３６】
そして、この装飾体玩具90は、補強シート43のクリーム樹脂69を乗せる位置には接着シール47を貼着しているため、接着シール47の表表面とクリーム樹脂69との接着性が良好であり、クリーム樹脂69を確実に補強シート43と一体とすることができるものである。
【００３７】
更に、金色や銀色などの小球体形状やピンクやブルーなどの透明多面球体形状などの立体形状とした装飾ビーズ形補助装飾体87を用いれば、一層、装飾性の高いアクセサリーとすることのできる擬似食品形状の装飾体玩具90を成形することができる。
【００３８】
又、基準透孔キャップ71や種々透孔の形状が異なる異形透孔キャップ73など、樹脂チューブ60に取り付ける透孔キャップを交換することにより、クリーム樹脂69の表面形状に更なる変化を加えて一層美麗な装飾体玩具90を成形することができる。
【００３９】
なお、補強シート43の上にクリーム樹脂69を絞り出して装飾体玩具90を形成するに際しては、台座10と並べるように台座10の近くにお手本シート53を置いておくことにより、お手本シート53に描かれた絵柄を真似るようにして容易に見た目に美しい装飾体玩具90を形成して遊ぶことができる。
【００４０】
このようにして、クリーム樹脂69を絞り出して装飾性の高い擬似食品形状の装飾体玩具90を形成し、この装飾体玩具90を形成した補強シート43に穴を開けてボールチェーン89などの補助装飾体を補強シート43に通すようにすれば、この装飾体玩具90をストラップ飾りなどとすることができるものである。
【００４１】
尚、立体形状とする補助装飾体は、図７に示すように、装飾ビーズ形補助装飾体87の他、扇形とした厚肉のケーキバンズ形補助装飾体81や円形の厚肉形状としたケーキバンズ形補助装飾体81、果実をスライス又はカットした形状を模したカットフルーツ形補助装飾体83、チェリーやイチゴなどの果実形状を模したミニチュア果実形補助装飾体85、ボールチェーン89などとするものであり、ケーキバンズ形補助装飾体81やカットフルーツ形補助装飾体83の表面、ミニチュア果実形補助装飾体85の表面には、クリーム樹脂69との接着性を高くする処理を施しているものである。
【００４２】
また、ケーキバンズ形補助装飾体81やカットフルーツ形補助装飾体83又はミニチュア果実形補助装飾体85などを用い、ケーキバンズ形補助装飾体81の上面にクリーム樹脂69を絞り出し、ケーキバンズ形補助装飾体81の上に絞り出したクリーム樹脂69にカットフルーツ形補助装飾体83やミニチュア果実形補助装飾体85、又は装飾ビーズ形補助装飾体87などを載置したり埋め込んだりすることにより、図８に示すようなショートケーキ型やフルーツケーキ型の擬似食品玩具として、より立体的な装飾体玩具90を成形することができる。
【００４３】
なお、台座10は、図９に示すように、中央凹部25の中央に円形の溝部を形成して回転溝35を設け、この回転溝35に嵌入される円筒形の下端を有するテーブル受け皿36と厚肉円形の回転テーブル38を組合せ、テーブル受け皿36は上面に回転テーブル38を載置固定する凹部を有すると共に上端周辺にリブ37を有し、リブ37を摘んで回転テーブル38をテーブル受け皿36と一体的に回転溝35の位置で回転させることができるようにすることがある。
【００４４】
このように、台座10の上に回転可能な回転テーブル38を設ける場合は、この回転テーブル38のテーブル面上にケーキバンズ形補助装飾体81や補強シート43を載置固定してクリーム樹脂69を絞り出すようにすれば、回転テーブル38を回転させることにより、常にテーブル面上の手前側で絞り出し作業を行うことができ、身体からの距離を一定に保つように絞り出し作業を行ってより精緻な装飾体玩具90の成形を行うことが容易となる。
【００４５】
また、下ケース11の内側には内部空間を区切るように底板13上に区画壁17を形成しておけば、補助装飾体などの小物を区別して整理収納することができる。
そして、下ケース11の周壁部15を波型として形成すると共に、周壁部15を滑らかに底板13から連続させておくことにより、装飾ビーズ形補助装飾体87などの小さな補助装飾体であっても、指先で底板13に押し付けたまま周壁部15の方向に異動させた後、周壁部15に沿って補助装飾体を上方に移動させ、周壁部15の上端において２本の指先で摘むようにして容易に取り出すことができる。
【００４６】
このように、本実施例に係る装飾体玩具成形セットは、ホイップクリーム状の特殊合成樹脂であるクリーム樹脂69をチューブ容器61に充填した樹脂チューブ60と、樹脂チューブ60の先端に着脱可能に固定される基準透孔キャップ71や異形透孔キャップ73と、複数の形状の異なる補強シート43を切り抜き可能とした成形シート41と、補強シート43の形状に合わせた形状及び大きさとされた接着シール47と、補強シート43の形状に合わせた成形対象である装飾体玩具90の絵柄が描かれたお手本シート53と、補強シート43を載置するための台座10を備える装飾体玩具成形セットであるから、台座10に接着シール47を貼着した補強シート43を載置し、お手本シート53の絵柄を見て、この絵柄に合せるように補強シート43にクリーム樹脂69を乗せるように樹脂チューブ60から絞り出すと、樹脂チューブ60に星型の透孔を先端に備えた基準透孔キャップ71を固定しておけば、ホイップクリームによるデコレーションと同様に星型や線状の溝を表面に備えた円柱形状などの見た目に美麗な形状のお手本シート53に描かれた装飾体を容易に形成して遊ぶことができるものである。
【００４７】
そして、星型の透孔を備えた基準透孔キャップ71以外に透孔の形状が異なる異形透孔キャップ73も組み合わせると、樹脂チューブ60から絞り出すクリーム樹脂69の表面模様を変化させることができ、より複雑で見た目に一層美麗な装飾体玩具90を容易に形成することができる。
【００４８】
また、本実施例の装飾体玩具成形セットには基本練習シート51を備えている故、基本練習シート51に描かれた絵柄を見てクリーム樹脂69を絞り出す練習を行うことにより、一定の安定した絞り出しを行えるようにして一層美麗な装飾体玩具90を容易に成形して遊ぶことができるものである。
【００４９】
更に、台座10として上面に中央凹部25を有し、この中央凹部25と同一形状及び大きさのカバーシート49を備えた台座10とすることにより、カバーシート49の上にクリーム樹脂69を絞り出してホイップクリームによるデコレーション形状を形成して台座10本体を汚すことなく装飾体玩具90の形成練習を行うことができ、透明なカバーシート49の下に基本練習シート51を挿入すれば、基本形状を絞り出す練習を行うに際し、基本練習シート51に描かれた絵柄との比較を容易に行うことができ、美麗な装飾体玩具90の形成練習を簡単に行うことができ、より一層見た目に美しい装飾体玩具90を容易に形成して遊ぶことができる。
【００５０】
そして、立体形状の補助装飾体を更に組み合わせれば、より複雑な形状で美麗な装飾体玩具90を成形することができる。
【図面の簡単な説明】
【００５１】
【図１】本発明に係る装飾体玩具成形セットの樹脂チューブを示す図。
【図２】本発明に係る装飾体玩具成形セットのカバーシート及び基本練習シートやお手本シートを示す図。
【図３】本発明に係る装飾体玩具成形セットの台座及び透明形成シートやシールシートを示す図。
【図４】本発明に係る装飾体玩具成形セットにおける台座に基本練習シートとカバーシートを取り付ける状態を示す図。
【図５】本発明に係る装飾体玩具成形セットの台座に固定したカバーシートに補強シートを取り付けた状態を示す図。
【図６】本発明に係る装飾体玩具成形セットの補強シートにクリーム樹脂を張り付けてアクセサリーとした状態を示す図。
【図７】本発明に係る装飾体玩具成形セットの補助装飾体を示す図。
【図８】補助装飾体にクリーム樹脂を張り付けてアクセサリーとした状態を示す図。
【図９】本発明に係る装飾体玩具成形セットの台座部の変形例を示す図。
【符号の説明】
【００５２】
１０  台座
１１  下ケース                      １３  底板
１５  周壁部                        １７  区画壁
２１  上ケース                      ２３  周壁部
２５  中央凹部                      ２７  係止突出部
３１  傾斜面部                      ３３  指掛け凹部
３５  回転溝
３６  テーブル受け皿                ３７  リブ
３８  回転テーブル
４１  成形シート                    ４３  補強シート
４５  シールシート                  ４７  接着シール
４８  両面接着テープ
４９  カバーシート
５１  基本練習シート
５３  お手本シート
６０  樹脂チューブ
６１  チューブ容器                  ６３  口金部
６５  仮キャップ
６９  クリーム樹脂
７１  基準透孔キャップ              ７３  異形透孔キャップ
７５  螺子蓋
８１  ケーキバンズ形補助装飾体      ８３  カットフルーツ形補助装飾体
８５  ミニチュア果実形補助装飾体    ８７  装飾ビーズ形補助装飾体
８９  ボールチェーン
９０  装飾体玩具
【図１】
2010000152.tif 000003
【図２】
2010000152.tif 000004
【図３】
2010000152.tif 000005
【図４】
2010000152.tif 000006
【図５】
2010000152.tif 000007
【図６】
2010000152.tif 000008
【図７】
2010000152.tif 000009
【図８】
2010000152.tif 000010
【図９】
2010000152.tif 000011